(57)【要約】【課題】１つの空間に複数のスピーカから異なる領域ＩＤの音を放音しても、上記従来技術のように放音装置を増設することなく、また、複数のマイクロホンを設けることなく、簡易な構成により、ユーザの居場所を管理することが可能な電話装置および情報端末を提供する。【解決手段】予め定められた特定の箇所に設置される電話装置であって、所定の超音波または可聴域の音信号を送出する音送出手段と、前記送出する音信号に自電話装置が設置されている位置に係る情報を重畳する位置情報重畳手段と、を有する。【選択図】図１
2017169058.tif 000002
【特許請求の範囲】
【請求項１】
予め定められた特定の箇所に設置される電話装置であって、
所定の超音波または可聴域の音信号を送出する音送出手段と、前記送出する音信号に自電話装置が設置されている位置に係る情報を重畳する位置情報重畳手段と、を有することを特徴とする音波による位置情報伝達機能を有する電話装置。
【請求項２】
請求項１に記載の電話装置であって、
前記音送出手段は特定の音信号を間欠的に送出する手段であって、前記間欠的に送出するタイミングを制御する間欠送出タイミング制御手段と、前記特定の音信号を検知する特定音信号検知手段と、をさらに有し、
前記音信号を送出するタイミングが到来した場合に、前記特定音信号検知手段にて、他電話装置が送出した前記音信号を検知したならば、自電話装置は前記音信号の送出を停止し、他電話装置が発信した前記音信号を検知しないならば、自電話装置は前記音信号を送出することを特徴とする音波による情報伝達機能を有する電話装置。
【請求項３】
請求項１に記載の電話装置であって、
前記音送出手段は特定の音信号を間欠的に送出する手段であって、前記間欠的に送出するタイミングを制御する間欠発信タイミング制御手段と、前記音信号の送出を指示するコマンドを受信する発信指示受信手段と、をさらに有し、
前記コマンドを受信した場合に、前記音信号を送出することを特徴とする音波による情報伝達機能を有する電話装置。
【請求項４】
請求項３に記載の電話装置において、
自電話装置は、所定の電話制御装置に帰属する内線電話機であって、
前記音信号の送出を指示するコマンドは、前記電話制御装置から受信することを特徴とする音波による情報伝達機能を有する電話装置。
【請求項５】
請求項１〜４のいずれか一項に記載の電話装置から送信される前記音信号を受信する情報端末であって、
前記音信号を受信する音信号受信手段と、前記受信した音信号に重畳されている前記電話装置が設置されている位置に係る情報を抽出する位置情報抽出手段と、を有することを特徴とする情報端末。
【発明の詳細な説明】
【技術分野】
【０００１】
本発明は、位置情報伝達機能を有する電話装置および情報端末に関する。
【背景技術】
【０００２】
企業などにおいて、社員同士の連絡（電子メール、電話）を円滑に行う手段として、社員の在席状況や社員の居場所を把握して、連絡する方法がある。
【０００３】
また、携帯電話機などの情報端末の位置を特定し、社員の居場所を特定する技術として、例えば、特許文献１に記載された発明がある。
この公報には、「音を表す音信号に対し、当該音が伝搬する空間領域に割り当てられた領域識別情報を重畳する重畳手段と、前記重畳手段によって空間領域毎に異なる前記領域識別情報が重畳された音信号に応じて、それぞれ放音を行う複数の放音手段と、前記複数の放音手段によってそれぞれ放音された音のうち少なくともいずれか１の音を収音する収音手段と、前記収音手段によって収音された音から前記領域識別情報を抽出する抽出手段と、  前記抽出手段により抽出された前記領域識別情報が割り当てられた前記空間領域の位置を示す位置情報を出力する出力手段とを備えることを特徴とする位置通知システム」という記載がある。
【０００４】
つまり、特許文献１には、放音装置と測位装置と携帯電話機からなるシステムにおいては、デパートの各階に配置した放音装置におけるスピーカから各階の空間に、当該空間に割り当てられた識別情報を示す領域ＩＤを含んだ音を放音させること、放音装置から放音された音を、携帯電話機におけるマイクロホンによって収音し、収音した音から領域ＩＤを抽出すること、携帯電話機にて抽出した領域ＩＤを測位装置へ送信すること、測位装置において、携帯電話機から送信された領域ＩＤに基いて携帯電話機の位置を特定し、当該特定した位置を携帯電話機へ通知し、携帯電話機にて通知された位置を表示すること、また、このシステムにおいて、複数の放音装置を設ける場合、放音装置を設置する空間毎に音の周波数を変えて領域ＩＤを含んだ音を放音することが開示されている。
【先行技術文献】
【特許文献】
【０００５】
【特許文献１】特開２００９−１９８２０９号公報
【発明の概要】
【発明が解決しようとする課題】
【０００６】
特許文献１に記載されたシステムによれば、ＧＰＳを用いた測位と放音装置による放音を利用した測位とを併用することで、ＧＰＳを用いた技術では正確な測位ができないような場所に居る場合であっても、その位置を正確に特定し得る効果を奏する。
【０００７】
しかし、放音装置を複数設置する場合、領域ＩＤを示す音の周波数をスピーカ毎に変える必要があり、手間がかかる。
【０００８】
なお、特許文献１には、領域ＩＤの音の周波数を同じにして複数のスピーカから異なる領域ＩＤの音を放音する方法も開示されているが、この場合、携帯電話機においてこれらの音を収音するマイクロホンを２つ設けなければならず、携帯電話機のコストが上がる。
【０００９】
そこで、本発明は、上記事情に鑑みてなされたものであり、１つの空間に複数のスピーカから異なる領域ＩＤの音を放音しても、上記従来技術のように放音装置を増設することなく、また、複数のマイクロホンを設けることなく、簡易な構成により、ユーザは電話機の位置情報から居場所を把握することが可能な電話装置および情報端末を提供することを目的とする。
【課題を解決するための手段】
【００１０】
上記課題を解決するために、代表的な本発明の位置情報伝達機能を有する電話装置および情報端末の一つは、予め定められた特定の箇所に設置される電話装置であって、所定の超音波または可聴域の音信号を送出する音送出手段と、前記送出する音信号に自電話装置が設置されている位置に係る情報を重畳する位置情報重畳手段と、を有することを特徴とする。
【発明の効果】
【００１１】
本発明によれば、１つの空間に複数のスピーカから異なる領域ＩＤの音を放音しても情報端末を携帯するユーザは、自身の位置情報を把握することができる。その結果として、上述したように放音装置を増設することなく、また、複数のマイクロホンを設けることなく、簡易な構成により、ユーザは電話機の位置情報から居場所を把握することが可能な電話装置および情報端末を提供することができる。
上記した以外の課題、構成および効果は、以下の実施形態の説明により明らかにされる。
【図面の簡単な説明】
【００１２】
【図１】本発明の電話装置と携帯端末とをもって電話システムを構成した一例を説明するシステム構成図。
【図２】図１における電話機（内線電話機）の構成例を示す機能ブロック図。
【図３】図１における携帯端末の構成例を示す機能ブロック図。
【図４】図２における内線電話機の動作を説明するフローチャート。
【図５】図３における携帯端末の動作を説明するフローチャート。
【図６】図１における内線電話機と携帯端末間の通信シーケンスを示す図。
【図７】本発明の電話装置と携帯端末とを主装置、無線アクセスポイント、プレゼンスサーバと連携して電話システムを構成した他の例を説明するシステム構成図。
【図８】図７における主装置の構成を説明する機能ブロック図。
【図９】図７における内線電話機の構成を説明する機能ブロック図。
【図１０】図７における携帯端末の構成を説明する機能ブロック図。
【図１１】図８における主装置の動作を説明するフローチャート。
【図１２】図９における内線電話機の動作を説明するフローチャート
【図１３】図１０における携帯端末２１０の動作を説明するフローチャート。
【図１４】図８のシステム構成における送信順を説明する送信順記憶テーブルの構成例を示す図。
【発明を実施するための形態】
【００１３】
以下、本発明について図面を参照して説明する。
【実施例１】
【００１４】
図１は、本発明の電話装置１００（電話機１００−１、１００−２、１００−３）と携帯端末２００（２００−１、２００−２、２００−３）とをもって電話システムを構成した一例を説明するシステム構成図である。
【００１５】
本例は、企業内の各部屋、例えば、事務室１０内に２台の電話装置（電話機又は内線電話機と称する場合もある）１００−１、１００−２を設置し、２台の携帯端末２００−１、２００−２（情報端末を携帯する二人のユーザ）が存在し、会議室２０内に１台の電話機（内線電話機）１００−３を設置し、１台の携帯端末２００−３（情報端末を携帯する二人のユーザ）が存在する場合である。
【００１６】
電話装置１００（電話機１００−１、１００−２、１００−３）は、それぞれローカルエリアネットワーク（ＬＡＮ：内線回路）に接続されている。そして、電話装置１００（電話機１００−１、１００−２、１００−３）は、それぞれのスピーカより、音波を出力４００（音波出力４００−１、４００−２、４００−３：場合によっては送出又は放音と称する場合もある）する機能を有する。
【００１７】
携帯端末２００（２００−１、２００−２、２００−３）は、電話機１００のスピーカから出力された音波出力４００（４００−１、４００−２、４００−３）をマイクロホンにて受信する機能を有する。
【００１８】
つまり、携帯端末２００−１、２００−２は、電話機１００−１、１００−２から出力される音波出力４００−１、４００−２の何れか一方、又は両方を各マイクロホンにて受信する。
携帯端末２００−３は、電話機１００−３から出力される音波出力４００−３をマイクロホンにて受信する。
ここで、音波出力４００（４００−１、４００−２および４００−３）は各部屋（事務室１０、会議室２０）をまたいで受信できないように構成する。
よって、携帯端末２００−３は、音波出力４００−２を受信することはできない。
【００１９】
図２は、図１における電話装置１００（以下、内線電話機と称する）の構成例を示す機能ブロック図である。
【００２０】
内線電話機１００は、ＬＡＮ３００に接続され、端末制御部１０１、ダイヤルキー１０２、送受話器１０３、スピーカ１０４、マイク１０５、表示部１０６、呼接続処理部１０７、通信制御部１０８、位置情報記憶部１０９、音波信号監視部１１０、ランダムタイマ部１１１、音波信号生成部１１２を備える。
【００２１】
端末制御部１０１は、上記各部の動作制御を司り、内部に格納されたプログラムに従って、下記の動作制御を行う。
【００２２】
ダイヤルキー１０２は、ユーザより、位置情報設定やダイヤル操作を行う場合に使用される。
【００２３】
送受話器１０３は、ユーザより内線電話操作を行う場合に使用される。
【００２４】
スピーカ１０４は、音波信号生成部１１２より生成された音波信号を、端末制御部１０１を介して音波出力４００として出力する。この音波出力は、ランダムタイマ部１１１により、間欠的に送出する。また、音信号を送出するコマンドを受信したとき、音声信号を送出するようにしても良い。なお、内線電話機１００の発信音／着信音等も出力する。
【００２５】
マイク１０５は、他の内線電話機が音波信号を送出しているか否かの判断を行う場合に使用される。
【００２６】
表示部１０６は、端末制御部１０１より送られてきた各種の情報内容を内線電話機１００のＬＣＤに表示する。
【００２７】
呼接続処理部１０７は、通信制御部１０８と端末制御部１０１に接続され、内線電話機１００における着信や通話など電話機の基本動作を行う。
【００２８】
通信制御部１０８は、ＬＡＮ３００と呼接続処理部１０７と端末制御部１０１に接続され、通信における制御を行う。
【００２９】
位置情報記憶部１０９は、音波信号生成部１１２と端末制御部１０１に接続され、ダイヤルキー１０２の操作により入力された位置情報を記録する。
【００３０】
音波信号監視部１１０は、端末制御部１０１に接続され、マイクロホン（マイク）１０５が他の内線電話機の音波信号を収音した場合、この他の内線電話機の音波信号を、端末制御部１０１を介して受け、この他の内線電話機の音波信号をもって他の内線電話機から音波信号が出力されていることを確認、又は検知する。音波信号監視部１１０は、他の内線電話機の音波信号が確認、又は検知された場合、端末制御部１０１を経由してランダムタイマ部１１１を起動し、また、スピーカ１０４から出力される音波出力４００を制御する。つまり、音波出力４００を停止する。
【００３１】
ランダムタイマ部１１１は、音波信号監視部１１０からの指示、つまり、音波信号監視部１１０にて他の内線電話機の音波信号が出力されていることを確認、検知できた場合、ランダムタイマを起動する。
【００３２】
音波信号生成部１１２は、端末制御部１０１と位置情報記憶部１０９に接続され、端末制御部１０１より音波信号生成指示を受けると、位置情報記憶部１０９より内線電話機１００の位置を特定する位置情報を取得し、当該位置情報を重畳した音波信号を生成する。
【００３３】
図３は、図１における携帯端末２００の構成例を示す機能ブロック図である。
【００３４】
携帯端末２００は、端末制御部２０１、マイク２０２、表示部２０３、音波信号受信部２０４、位置情報抽出部２０５、位置情報表示指示部２０６を備える。
【００３５】
端末制御部２０１は、上記各部の動作制御を司り、内部に格納されたプログラムに従って、下記の動作制御を行う。
【００３６】
マイク２０２は、内線電話機１００より出力された音波出力４００を受信し、端末制御部２０１を経由して音波信号受信部２０４へ送られる。
【００３７】
表示部２０３は、端末制御部２０１を経由して位置情報表示指示部２０６から送られてくる位置情報を表示する。
【００３８】
音波信号受信部２０４は、端末制御部２０１を経由してマイク２０２より受信した音波信号を受信し、位置情報抽出部２０５へ送信する。
【００３９】
位置情報抽出部２０５は、音波信号受信部２０４から取得した音波信号より位置情報を抽出し、位置情報表示指示部２０６へ送信する。
【００４０】
位置情報表示指示部２０６は、位置情報抽出部２０５より抽出した位置情報を、端末制御部２０１を経由して、表示部２０３へ送信する。
【００４１】
図４は、図２における内線電話機１００の動作を説明するフローチャートである。図４のフローチャートに基づく動作は以下のとおりである。
【００４２】
内線電話機１００は、まず、ステップＳ１０１にて、音波信号送出タイミングか否かの判断を行う。
【００４３】
ステップＳ１０１にて、音波信号送出タイミングである場合（Ｙｅｓ）は、ステップＳ１０２に進み、音波信号送出タイミングでない場合（Ｎｏ）は、ステップＳ１０８に進む。
【００４４】
そして、ステップＳ１０２にて、他の内線電話機の音波信号を受信したか否かを音波信号監視部１１０にて確認する。
【００４５】
ステップＳ１０２にて、他の内線電話機の音波信号を受信していない場合（Ｎｏ）は、ステップＳ１０３に進み、他の内線電話機の音波信号を受信した場合（Ｙｅｓ）は、ステップＳ１０４に進む。
【００４６】
そして、ステップＳ１０３にて、位置情報を含む音波信号を音波信号生成部１１２で生成し、スピーカ１０４より送出し、ステップＳ１０１に戻り、上記ステップを繰り返す。
【００４７】
また、ステップＳ１０４にて、音波信号の送出を停止し、ステップＳ１０５にて、ランダムタイマを起動し、ステップＳ１０６にて、ランダムタイマが満了になるまで待機する。
【００４８】
そして、ステップＳ１０６にて、ランダムタイマが満了した場合（Ｙｅｓ）は、ステップＳ１０２に戻り、ステップＳ１０２〜Ｓ１０５の処理を繰り返し、ランダムタイマが満了でない場合（Ｎｏ）は、ステップＳ１０６の処理を継続する。
【００４９】
ステップＳ１０１にて、音波信号送出タイミングではない場合（Ｎｏ）は、電話機能に関わる操作または着信に関わる操作があるか否かの判断を行う。
【００５０】
ステップＳ１０８にて、電話機能に関わる操作または着信に関わる操作がある場合（Ｙｅｓ）は、ステップＳ１０９に進み、当該ステップ１０９にて、操作に応じた電話処理を行い、ステップＳ１０１に戻り、上記ステップを繰り返す。
【００５１】
ステップＳ１０８にて、電話機能に関わる操作または着信に関わる操作ではない場合（Ｎｏ）は、ステップＳ１１０に進み、当該ステップＳ１１０にて、位置情報の登録・編集・削除の操作があるか否かの判断を行う。
【００５２】
ステップＳ１１０にて、位置情報の登録・編集・削除の操作がある場合（Ｙｅｓ）は、次のステップＳ１１１にて、所定の位置情報処理を行う。
【００５３】
ステップＳ１１０にて、位置情報の登録・編集・削除の操作がない場合（Ｎｏ）、ステップＳ１０１に戻り、再度、音波信号送出タイミングかの判断を行う。
【００５４】
図５は、図３における携帯端末２００の動作を説明するフローチャートである。図５のフローチャートに基づく動作は以下のとおりである。
【００５５】
携帯端末２００は、まず、ステップＳ２０１にて、音波信号受信部２０４より音波信号を受信したか否かの判断を行う。
【００５６】
ステップＳ２０１にて、音波信号を受信した場合（Ｙｅｓ）は、ステップＳ２０２にて、位置情報抽出部２０５より位置情報を抽出し、ステップＳ２０３にて、抽出された位置情報を、位置情報表示指示部２０６を経由して表示部２０３に供給し、表示部２０３にて位置情報を表示する。
【００５７】
ステップＳ２０１にて、音波信号を受信していない場合（Ｎｏ）は、音波信号を受信するまで待機する。
【００５８】
図６は、図１における内線電話機１００−１、１００−２と携帯端末２００間の通信シーケンスを示す図である。
【００５９】
内線電話機１００−１は、図２の音波信号監視部１１０より、他の内線電話機からの音波信号がないかチェックを行い（ステップＳ６０１）、音波信号がないことを確認したら音波信号生成部１１２より内線電話機１００−１の位置情報を付与した音波信号を生成し、スピーカ１０４より音波出力４００を送出する（ステップＳ６０２）。この音波出力は、所定のタイミングで間欠的に送出する。
【００６０】
内線電話機１００−２は、内線電話機１００−１と同様に、他の内線電話機からの音波信号がないかをチェックを行い（ステップＳ６０３）、内線電話機１００−１が音波信号を出力中のため、音波信号監視部１１０が他の内線電話機より音波信号を受信し（ステップＳ６０４）、ランダムタイマ部１１１よりランダムタイマを起動し（ステップＳ６０５）、ランダムタイマ満了まで待ち（ステップＳ６０６）、再度、他の内線電話機から音波信号がないかをチェックする（ステップＳ６０７）。
【００６１】
音波信号がないことを確認したら音波信号生成部１１２より内線電話機１００−２の位置情報を付与した音波信号を生成し、スピーカ１０４より音波出力４００を送出する（ステップＳ６０８）。
【００６２】
携帯端末２００は、内線電話機２００−１からの音波信号をマイク２０２、端末制御部２０１を経由して音波信号受信部２０４で受信し（ステップＳ６０９）、位置情報抽出部２０５にて位置情報を抽出し、位置情報表示指示部２０６からの表示指示に基づいて表示部２０３にて表示する（ステップＳ６１０）。
【実施例２】
【００６３】
図７は、本発明の電話装置１２０（内線電話機１２０−１、１２０−２、１２０−３）と携帯端末２１０（２１０−１、２１０−２）とを電話制御装置（主装置）６００、無線ＡＰ７００、プレゼンスサーバ８００と連携して電話システムを構成した他の例を説明するシステム構成図である。
【００６４】
内線電話機１２０−１〜１２０−３、電話制御装置である主装置６００、無線ＡＰ７００、プレゼンスサーバ８００は、ＬＡＮ３００で接続されている。プレゼンスサーバ８００は、プレゼンス情報の管理や通知を行うものであり、例えば、被利用者に関するプレゼンス情報を、ＳＩＰを介してＮＯＴＩＦＹメッセージで利用者に送信する機能を有する。
【００６５】
無線ＡＰ７００は、無線（電波出力５００）にて携帯端末２１０（２１０−１、２１０−２）に接続されている。
【００６６】
内線電話機１２０は、音波出力（音波信号）４１０を出力し、携帯端末２１０は、音波出力（音波信号）４１０を受信する。
【００６７】
図８は、図７における主装置６００の構成を説明する機能ブロック図である。
【００６８】
主装置６００は、通信制御部６００１、交換機処理部６００２、制御部６００３、内線電話機管理部６００４、位置情報処理部６００５、送信順記憶部６００６、発信指示コマンド送信部６００７を備える。
【００６９】
通信制御部６００１は、ＬＡＮ３００に接続され、交換機処理部６００２、制御部６００３に接続されている。
【００７０】
交換機処理部６００２は、交換機（図示せず）にかかわる処理を行い、通信制御部６００１に接続されている。
【００７１】
制御部６００３は、通信制御部６００１と接続され、内線電話機管理部６００４、位置情報処理部６００５に接続されている。
【００７２】
内線電話機管理部６００４は、制御部６００３と位置情報処理部６００５に接続される。
【００７３】
位置情報処理部６００５は、送信順記憶部６００６より該当する内線電話機を特定し、内線電話機管理部６００４より、該当する内線電話機情報を入手し、位置情報処理部６００５にて発信指示コマンドを生成し、発信指示コマンド送信部６００７、制御部６００３を経由して通信制御部６００１に送信する。発信指示コマンドは、例えば、送信順記憶部６００６に記憶されている内線番号特定フラグ（図１４参照）が付いている内線番号とする。
【００７４】
送信順記憶部６００６は、位置情報処理部６００５に接続されている。その記憶内容については後述する。
【００７５】
発信指示コマンド送信部６００７は、位置情報処理部６００５で生成した発信指示コマンドを受信し、制御部６００３に接続する。
【００７６】
図９は、図７における内線電話機１２０の構成を説明する機能ブロック図である。
【００７７】
内線電話機１２０は、ＬＡＮ３００に接続され、端末制御部１２０１、ダイヤルキー１２０２、送受話器１２０３、スピーカ１２０４、マイク１２０５、表示部１２０６、呼接続処理部１２０７、通信制御部１２０８、発信指示コマンド受信部１２０９、音波信号生成部１２１０を備える。
【００７８】
端末制御部１２０１は、上記各部の動作制御を司り、内部に格納されたプログラムに従って、下記の動作制御を行う。
【００７９】
ダイヤルキー１２０２は、ユーザより内線電話機のダイヤル操作を行った場合に使用される。
【００８０】
送受話器１２０３は、ユーザより内線電話機の受話器の操作を行った際に使用される。
【００８１】
スピーカ１２０４は、音波信号生成部１２１０より生成された音波信号を、端末制御部１２０１を介して音波出力（音波信号）４１０としてスピーカ１２０４より音波出力する。
【００８２】
マイク１２０５は、端末制御部１２０１にて制御を行う。
【００８３】
表示部１２０６は、端末制御部１２０１より送られてきた各種情報の内容を内線電話機のＬＣＤに表示する。
【００８４】
呼接続処理部１２０７は、通信制御部１２０８と端末制御部１２０１より接続され、内線電話機１２０における着信や通話など電話機の基本動作を行う。
【００８５】
通信制御部１２０８は、ＬＡＮ３００と呼接続処理部１２０７と発信指示コマンド受信部１２０９に接続され、通信における制御を行う。
【００８６】
発信指示コマンド受信部１２０９は、主装置６００より送信された発信指示コマンドを、通信制御部１２０８を経由して受信する。
【００８７】
音波信号生成部１２１０は、発信指示コマンド受信部１２０９より位置情報を付与した音波信号を生成し、端末制御部１２０１を経由してスピーカ１２０４より音波出力（音波信号）４１０として出力する。
【００８８】
図１０は、図７における携帯端末２１０の構成を説明する機能ブロック図である。
【００８９】
携帯端末２１０は、通信制御部２１０１、プレゼンス情報更新部２１０２、端末制御部２１０３、音波信号受信部２１０４、位置情報抽出部２１０５、プレゼンス情報記憶部２１０６、通話処理部２１０７、表示部２１０８、マイク２１０９、スピーカ２１１０、入力部２１１１を備える。
【００９０】
通信制御部２１０１は、無線ＡＰ７００に接続され、プレゼンス情報更新部２１０２、通話処理部２１０７に接続されている。
【００９１】
プレゼンス情報更新部２１０２は、通信制御部２１０１と端末制御部２１０３、位置情報抽出部２１０５、プレゼンス情報記憶部２１０６に接続され、位置情報抽出部２１０５より位置情報を抽出し、プレゼンス情報記憶部２１０６から自端末情報を取得し、自端末情報と位置情報を含むプレゼンス情報をプレゼンスサーバ８００へ送信する。そして、プレゼンスサーバ８００のプレゼンス情報を更新する。
【００９２】
端末制御部２１０３は、各部の制御を行う。
【００９３】
音波信号受信部２１０４は、マイク２１０９より音波出力（音波信号）４１０を受信したとき、当該音波信号を、端末制御部２１０３を経て、受信する。
【００９４】
位置情報抽出部２１０５は、音波信号受信部２１０４から受信された情報から位置情報を抽出し、プレゼンス情報更新部２１０２へ送信する。
【００９５】
プレゼンス情報記憶部２１０６は、プレゼンス情報更新部２１０２から自端末情報を更新する。
【００９６】
通話処理部２１０７は、通信制御部２１０１と端末制御部２１０３に接続され、通話にかかわる処理を行う。
【００９７】
表示部２１０８は、端末制御部２１０３より送られてきた内容を携帯端末に表示する。
マイク２１０９は、内線電話機から音波出力（音波信号）４１０を受信する。
スピーカ２１１０は、端末制御部２１０３に接続される。
入力部２１１１は、端末制御部２１０３に接続される。
【００９８】
図１１は、図７における主装置６００の動作を説明するフローチャートである。図１１のフローチャートに基づく動作は以下のとおりである。
【００９９】
主装置６００は、まず、ステップＳ６００１にて、音波信号発信指示タイミングか否かの判断を行う。ステップＳ６００１にて、音波信号発信指示タイミングである場合（Ｙｅｓ）は、ステップＳ６００２に進み、音波信号発信指示タイミングでない場合（Ｎｏ）は、ステップＳ６００５に進む。
【０１００】
ステップＳ６００１にて、音波信号発信指示タイミングだった場合（Ｙｅｓ）は、ステップＳ６００２にて、送信順記憶部６００６の送信順記憶テーブル（図１４参照）より該当するフラグが付いた内線番号を抽出し、ステップＳ６００３にて、抽出した内線番号へ発信指示コマンド送信部６００７より発信指示コマンドを送信し、ステップＳ６００４にて、送信順記憶テーブルのフラグを次順の内線番号または先頭の内線番号に変更する。
【０１０１】
ステップＳ６００１にて、音波信号発信指示タイミングではなかった場合（Ｎｏ）は、ステップＳ６００５にて、新たな内線電話機の接続を検出したかの判断を行う。
【０１０２】
ステップＳ６００５にて、内線番号の接続を検出した場合は（Ｙｅｓ）は、ステップＳ６００６にて、内線番号を取得し、送信順記憶テーブルに内線番号を追加する。
【０１０３】
ステップＳ６００５にて、内線番号の接続を検出していない場合は（Ｎｏ）は、ステップＳ６００７にて、構内交換機にかかわる要求を受信したかの判断を行う。
【０１０４】
ステップＳ６００７にて、構内交換機にかかわる要求を受信した場合（Ｙｅｓ）は、ステップＳ６００８にて、要求に応じた交換機処理を行う。
【０１０５】
ステップＳ６００７にて、構内交換機にかかわる要求を受信していない場合（Ｎｏ）は、ステップＳ６００１に戻り、再度、音波信号発信指示タイミングかの判断を行う。
【０１０６】
図１２は、図７における内線電話機１２０の動作を説明するフローチャートである。図１２のフローチャートに基づく動作は以下のとおりである。
【０１０７】
内線電話機は、まず、ステップＳ１２０１にて、発信指示コマンドを受信したか否かの判断を行う。
【０１０８】
ステップＳ１２０１にて、発信指示コマンドを受信した場合（Ｙｅｓ）は、ステップＳ１２０２にて、音波信号生成部１２１０にて位置情報を含む音波信号を送出する。
【０１０９】
ステップＳ１２０１にて、発信指示コマンドを受信していない場合（Ｎｏ）は、ステップＳ１２０３にて電話機能に関わる操作または着信に関わる操作があるか判断を行う。
【０１１０】
ステップＳ１２０３にて、電話機能に関わる操作または着信に関わる操作がある場合（Ｙｅｓ）は、ステップＳ１２０４にて操作に応じた電話処理を行う。
【０１１１】
ステップＳ１２０３にて、電話機能に関わる操作または着信に関わる操作ではない場合（Ｎｏ）は、ステップＳ１２０１に戻り、再度、発信指示コマンドを受信したかの判断を行う。
【０１１２】
図１３は、図７における携帯端末２１０の動作を説明するフローチャートである。図１３のフローチャートに基づく動作は以下のとおりである。
【０１１３】
通信制御部２１０１は、まず、ステップＳ２１０１にて、音波信号受信部２１０４より音波信号を受信したか否かの判断を行う。
【０１１４】
ステップＳ２１０１にて、音波信号を受信した場合（Ｙｅｓ）は、ステップＳ２１０２にて、位置情報抽出部２１０５より位置情報を抽出し、続いて、ステップＳ２１０３にて、プレゼンス情報記憶部２１０６から自端末情報を取得し、位置情報を含むプレゼンス情報をプレゼンス情報更新部２１０２から通信制御部２１０１を経由してプレゼンスサーバ８００へ送信する。
【０１１５】
ステップＳ２１０１にて、音波信号を受信していない場合（Ｎｏ）は、ステップＳ２１０４にて、相手が今どこにいるかの位置情報を確認するため、相手位置情報送信要求操作を受けたかの判断を行う。
【０１１６】
ステップＳ２１０４にて、相手位置情報送信要求操作を受けた場合（Ｙｅｓ）は、ステップＳ２１０５にて、プレゼンスサーバ８００へ要求を行い、ステップＳ２１０６にて、相手位置情報を受信し、ステップＳ２１０７にて、プレゼンス情報更新部２１０２を経て表示部２１０８にて、相手位置情報を表示する。
【０１１７】
ステップＳ２１０４にて、相手位置情報送信要求操作を受けていない場合（Ｎｏ）は、ステップＳ２１０１に戻り、再度、音波信号を受信したかの判断を行う。
【０１１８】
図１４は、図８のシステム構成における送信順を説明する送信順記憶部６００６における送信順記憶テーブルの構成例を示す図である。
【０１１９】
送信順記憶部６００６は、内線番号６００６１と内線番号特定フラグ６００６２の各情報欄から成り立っており、内線番号特定フラグの６００６２にフラグ（レ印）が立っている内線番号（１２０−１）を発信指示コマンドとして送信する。
【０１２０】
以上、述べた実施例のように、音信号に位置情報を重畳し、また、音信号を発信するコマンドを受信したとき、位置情報を含む音信号を間欠的に発信し、他電話機から送信された音信号を検知した場合、自電話装置から発信する音信号を停止し、他電話機から送信された音信号を検知しない場合、自電話装置から音信号を発信するよう制御する電話装置によれば、自電話装置が設置されている場所または位置を管理し、自電話装置が設置されている場所または位置の情報を含んだ音波信号を、自装置が備えるスピーカから間欠的に再生させることにより、電話装置が複数存在しても、情報端末において、当該音波信号を受信した場合に、位置情報を表示することができる。
【０１２１】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１２２】
１００（１００−１、１００−２、１００−３）、１２０（１２０−１、１２０−２、１２０−３）・・・電話装置（内線電話機）
２００（２００−１、２００−２、２００−３）、２１０（２１０−１、２１０−２）・・・携帯端末
１０１・・・端末制御部
１０２・・・ダイヤルキー
１０３・・・送受話器
１０４・・・スピーカ
１０５・・・マイクロホン（マイク）
１０６・・・表示部
１０７・・・呼接続処理部
１０８・・・通信制御部
１０９・・・位置情報記憶部
１１０・・・音波信号監視部
１１１・・・ランダムタイマ部
１１２・・・音波信号生成部
２０１・・・端末制御部
２０２・・・マイクロホン（マイク）
２０３・・・表示部
２０４・・・音波信号受信部
２０５・・・位置情報抽出部
２０６・・・位置情報表示指示部
３００・・・ＬＡＮ（内線回路）
６００・・・主装置
６００１・・・通信制御部
６００２・・・交換機処理部
６００３・・・制御部
６００４・・・内線電話機管理部
６００５・・・位置情報処理部
６００６・・・送信順記憶部
６００７・・・発信指示コマンド送信部
７００・・・無線アクセスポイント（無線ＡＰ）
８００・・・プレゼンスサーバ
１２０１・・・端末制御部
１２０２・・・ダイヤルキー
１２０３・・・送受話器
１２０４・・・スピーカ
１２０５・・・マイクロホン（マイク）
１２０６・・・表示部
１２０７・・・呼接続処理部
１２０８・・・通信制御部
１２０９・・・発信指示コマンド受信部
１２１０・・・音波信号生成部
２１０１・・・通信制御部
２１０２・・・プレゼンス情報更新部
２１０３・・・端末制御部
２１０４・・・音波信号受信部
２１０５・・・位置情報抽出部
２１０６・・・プレゼンス情報記憶部
２１０７・・・通話処理部
２１０８・・・表示部
２１０９・・・マイクロホン（マイク）
２１１０・・・スピーカ
２１１１・・・入力部
【図１】
2017169058.tif 000003
【図２】
2017169058.tif 000004
【図３】
2017169058.tif 000005
【図４】
2017169058.tif 000006
【図５】
2017169058.tif 000007
【図６】
2017169058.tif 000008
【図７】
2017169058.tif 000009
【図８】
2017169058.tif 000010
【図９】
2017169058.tif 000011
【図１０】
2017169058.tif 000012
【図１１】
2017169058.tif 000013
【図１２】
2017169058.tif 000014
【図１３】
2017169058.tif 000015
【図１４】
2017169058.tif 000016